(57)【要約】      （修正有）【課題】浄水器構造を提供する。【解決手段】本体１０と、フィルタユニット２０を含み、本体の２つの内側側壁には、それぞれ反対側のスライドユニット１３が設けられている。本体には、スライドユニットの移動ラインの端部に対応する、入水逆止弁１６と出水逆止弁１７が設けられている。フィルタユニットは本体内に配置され、フィルタユニットはシートプレート２１を有し、シートプレートの両側にはそれぞれスライドユニットに対応するスライドシート２２が設けられる。さらに、シートプレートの底部には、直列に接続された複数のフィルタチューブ２５が設けられている。また、フィルタユニットのシートプレートには、入水逆止弁に対応する入水パイプ２６と、出水逆止弁に対応する出水パイプ２７が配置されている。入水逆止弁と出水逆止弁に挿入されたときに、入水パイプと出水パイプが接続されることができる。このようにして、フィルタユニット全体を選択的に本体から取り外すことができる。【選択図】図２
0003217941.tif 000002
【実用新案登録請求の範囲】
【請求項１】
一種の浄水器構造であり、本体とフィルタユニットと、を含み、
前記本体は、端面に開口を有するチャンバーを内部に形成し、且つ前記本体の前記チャンバーの２つの側壁には、それぞれ向かい合うスライドユニットが設けられ、前記本体には、前記チャンバーの対応するスライドユニットの移動ラインの端部に入水逆止弁および出水逆止弁が設けられ、前記入水逆止弁は、入水管路を介して水源に接続することができ、前記出水逆止弁は、出水管路を介して貯水タンクに接続することができ、
前記フィルタユニットは前記本体の前記チャンバーに設けられ、前記フィルタユニットはシートプレートを有し、前記シートプレートの２つの側面にはそれぞれ前記スライドユニットに対応する、少なくとも１つのスライドシートが設けられ、さらに、前記シートプレートの底部には、順序よく直列に接続された複数のフィルタチューブが設けられ、
また、前記フィルタユニットの前記シートプレートには、前記入水逆止弁に対応する入水パイプと、前記出水逆止弁に対応する出水パイプが配置され、前記シートプレートが前記本体の前記チャンバーに押しこまれたときに、前記入水パイプと前記出水パイプが接続され、前記入水逆止弁と前記出水逆止弁に挿入されることができ、このようにして、容易に操作でき、交換やメンテナンスが容易な浄水器構造を形成することができることを特徴とする、浄水器構造。
【請求項２】
前記本体はフレームと、前記フレームの側面に配置された複数のサイドカバーと、前記フレームの上部に配置されたトップカバーとから構成され、前記本体の内部に端面に開口部を有する前記チャンバーを形成し、且つ前記本体には、前記チャンバーの端面開口部に選択的に開閉可能なドア１８が設けられることを特徴とする、請求項１に記載の浄水器構造。
【請求項３】
前記本体の前記チャンバーの中間部分に仕切りが立てに設けられ、また、前記本体には、前記フィルタユニットを設置するための第１チャンバーと、前記貯水タンクを設置するための第２チャンバーが形成され、また、前記入水逆止弁および前記出水逆止弁はそれぞれ、仕切りに配置されることを特徴とする、請求項１又は請求項２に記載の浄水器構造。
【請求項４】
前記本体には少なくとも一つの回転ロックボタンを設置し、前記フィルタユニットの前記シートプレートに対応するロック穴が形成し、前記フィルタユニットを選択的に位置決めすることができることを特徴とする、請求項１又は請求項２に記載の浄水器構造。
【考案の詳細な説明】
【技術分野】
【０００１】
本考案は、浄水器の技術分野に属し、具体的には、浄水器構造を意味し、フィルタユニットの交換が容易であり、その実用性を効果的に高めることができる。
【背景技術】
【０００２】
ヒトの体重の６０％から７０％は水であり、人間の日常生活に必須であるばかりでなく、人体の新陳代謝、生理機能の調節、生体内化学反応の促進にも重要である。しかし、近年の産業・商業の急速な発展により、水源の汚染はますます深刻化しており、水質安全の問題が引き出されている。一般的に水道水には、通常、身体の健康にある程度の影響を与える細菌、有害物質、有機物質、および浮遊物質があり、人々は水道水の品質に疑問を抱いているので、清潔な水を得るために家庭に浄水器と水ろ過装置を設置する。現在、水の浄化および水のろ過のための共通の設備は、主に、水源を異なる密度および地質のフィルター材を数回に渡り通してろ過することにより、人々の飲用に適したきれいな水を生成し、更にろ過するプロセス中に水源の質を変えることさえある。例えば、カルシウムおよびマグネシウムイオンフィルター、遠赤外線フィルター、マイナスイオンフィルター等を介して、電解水、活性水、アルカリイオン水等を発生させ、人の健康をさらに促進することができる。
【０００３】
従来の浄水器は、本体上の水の流れや圧力を制御するモーター、制御素子、加圧素子等の部品を主体として構成されている。そして、機械本体の下方にはフィルタユニットが設けられ、フィルタユニットは複数のフィルタチューブを有し、各フィルタチューブは異なる特性を有するフィルター材を有する。また、各フィルタチューブは、複数の配管を通じて直列に連結されて水を各層を通してろ過することができ、水源に接続される入水パイプと、貯水タンクに接続される出水パイプとを有する。さらに、フィルタユニットの各フィルタチューブ内のフィルター材が一定期間使用された後、そのフィルター効果を確保するためにフィルター材を定期的に清掃または更新する必要がある。操作方法は、本体からフィルタチューブの外管を回転して取り外した後、内部フィルター材を交換し、完成後にフィルタチューブを本体に戻して固定する。
【考案の概要】
【考案が解決しようとする課題】
【０００４】
しかしながら、従来の構造では、依然として若干の欠点があるが、その主な理由は、フィルタユニットは水の入口と出口の配管を水源と貯水タンクに接続する必要があるからである。そして、フィルタユニットの各フィルタチューブは本体に吊るして設けられているため、フィルタチューブの取り外しまたは設置されるときに途中で本体を移動して、傾ける必要がある。浄水器本体のサイズが大きく、且つ様々な管路に接続されているため、作業スペースが小さく、また邪魔も受けやすい。フィルタチューブを交換してフィルター材を交換したりするなどの不便さがあり、時間が浪費される。したがって、上記の問題を解決する方法は、関連業界が改善したいという課題である。
【０００５】
そこで、本考案者は、現存する浄水器を移動させる必要があり、交換作業者にとって作業スペースが不足するという問題について検討した。また、関連業界のＲ＆Ｄと製造における長年の経験を通じて、積極的にソリューションを模索していた。継続的な研究と試行を通して、交換の不便さに起因する既存の問題を効果的に克服することができる浄水器構造を最終的に開発した。
【０００６】
したがって、本考案の主な目的は、フィルタユニットと本体を分離して取り扱い易くすることができ、フィルター材のメンテナンスや交換の利便性をより向上させることができる浄水器構造を提供することにある。
【０００７】
また、本考案の他の主な目的は、浄水器管路の不正な引っ張りや旋回を低減し、管路の弛みや破損の問題を回避し、使用寿命を効果的に延ばすことができる浄水器構造を提供することである。
【０００８】
本考案は主に次のような技術的手段によって上記の目的と有効性を達成する。
【課題を解決するための手段】
【０００９】
本考案の浄水器の構造は本体とフィルタユニットとを含み、
本体は、端面に開口を有するチャンバーを内部に形成し、且つ２つの側壁には、それぞれ向かい合うスライドユニットが設けられている。本体には、チャンバーの対応するスライドユニットの移動ラインの端部に入水逆止弁および出水逆止弁が設けられている。入水逆止弁は、入水管路を介して水源に接続することができ、出水逆止弁は、出水管路を介して貯水タンクに接続することができる。
【００１０】
本体のチャンバーには、フィルタユニットが設置されている。フィルタユニットはシートプレートを有し、シートプレートの２つの側面にはそれぞれスライドユニットに対応する少なくとも１つのスライドシートが設けられている。さらに、シートプレートの底部には、順序よく直列に接続された複数のフィルタチューブが設けられている。
また、フィルタユニットのシートプレートには、入水逆止弁に対応する入水パイプと、出水逆止弁に対応する出水パイプが配置されている。入水逆止弁と出水逆止弁に挿入されたときに、入水パイプと出水パイプが接続されることができる。
【考案の効果】
【００１１】
このように、本考案の浄水器構造は、上記技術手段の表示により、フィルタユニットのシートプレートと本体内のスライドユニットその構造を利用することができる。また、フィルタユニットの入水パイプと出水パイプおよび本体の出水逆止弁と入水逆止弁の選択的な挿入、接続設計により、フィルタユニット全体を分離して本体から取り出すことができるので、フィルタユニットのメンテナンスやフィルタチューブ内のフィルター材の交換が容易になる。作業の利便性を高め、実用性を向上させ、付加価値を大幅に高め、経済的利益と製品競争力を向上させることができる。
【００１２】
本考案の組成、特徴および目的をさらに理解することを可能にするために、以下は、本考案の好ましい実施形態であり、図面に関連して詳細に記載される。当業者が本明細書に従って本考案を実施できるようにしながら、図面を参照して詳細に説明される。
【図面の簡単な説明】
【００１３】
【図１】本考案浄水器構造の立体外観図である。
【図２】本考案浄水器構造の各要素の態様及びその相対的関係を説明するための前側視点の立体分解表示図である。
【図３】本考案浄水器構造のフィルタユニットを押し込んで組み合わせたときの内部状態の模式図である。
【図４】本考案浄水器構造におけるフィルタユニットが分離、脱出するときの内部状態の模式図である。
【考案を実施するための形態】
【００１４】
本考案は、浄水器構造であり、本考案の特定の実施形態及び構成要素において、前、後左、右、上、下、及び縦、横の参照はすべて説明を簡単にするためであり、本考案を制限するものではない。また、コンポーネントを任意の位置または空間方向に制限しない。図面および明細書で指定された寸法は、考案がなされた請求項の範囲から逸脱することなく、本考案の特定の実施形態の設計及び要件内で変化し得る。
【００１５】
本考案の浄水器構造は、第１図および第２図に示すように、本体１０内に設けられた、選択的に取り出すことができるフィルタユニット２０と貯水タンク３０から構成され、フィルタユニット２０への水の流れを制御して流入させ、ろ過された清潔な水を日常生活の飲用のために貯水タンク３０に貯蔵する。
【００１６】
本体１０は、フレーム１０１と、フレーム１０１の側面に配置された複数のサイドカバー１０２と、フレーム１０１の上部に配置されたトップカバー１４とから構成される。本体１０の内部に端面に開口部を有するチャンバー１１を形成し、且つ本体１０には、チャンバー１１の端面開口部に選択的に開閉可能なドア１８が設けられる。さらに、本体１０のチャンバー１１の中間部分に仕切り１２が立てに設けられている。また、本体１０には、フィルタユニット２０を設置するための第１チャンバー１１１と、貯水タンク３０を設置するための第２チャンバー１１２が形成されている。また、仕切り１２には、第２チャンバー１１２に対応する一側に、モーター、加圧器、電気ヒーター、各種の弁部品、水源を接続する入水管路、貯水タンク３０を接続する出水管路などを含む水流制御ユニットが設けられていてもよい。水流制御ユニットは典型的な浄水器コンポーネントであり、本考案の特徴ではないため、その説明を省くことにする。また、仕切り１２は、水源入水管路を接続する入水逆止弁１６と、貯水タンク３０の出水管路を接続する出水逆止弁１７がそれぞれ配置されている。本体１０には、対応するチャンバー１１の第１チャンバー１１１の両側壁に向かい合う一対のスライドユニット１３が設けられ、フィルタユニット２０を選択的に滑べらせる。さらに、本体１０には、トップカバー１４の縁部に少なくとも１つの回転ロックボタン１５が設けられ、フィルタユニット２０を選択的に配置することができる。
【００１７】
フィルタユニット２０は、本体１０のチャンバー１１の第１チャンバー１１１に配置され、フィルタユニット２０は、シートプレート２１を有し、シートプレート２１の底部には、複数のフィルタチューブ２５が順序よく直列に接続され、水源を通してろ過する。そして、各フィルタチューブ２５を選択的に取り外して、内部のフィルター材を置き換えることができる。各フィルタチューブ２５の取り付け及び取り外しは、典型的な浄水器のフィルタチューブで構成されているため、本考案の特徴ではなく、その説明を省くことにする。また、フィルタユニット２０のシートプレート２１に対応するには、本体１０の仕切１２の一側に入水パイプ２６と、ろ過水出口用の出水パイプ２７とが設けられている。水源は入水パイプ２６から流入され、各フィルタチューブ２５でろ過され、ろ過された清潔な水は出水パイプ２７から流出する。また、入水パイプ２６および出水パイプ２７は、本体１０の仕切１２の入水逆止弁１６および出水逆止弁１７にそれぞれ対応する。入水逆止弁１６と出水逆止弁１７に入水パイプ２６と出水パイプ２７が挿入されるとき、入水パイプと出水パイプが接続される。逆に分離されている場合は、入水逆止弁１６と出水逆止弁１）を使用して逆止効果を生成することができる。シートプレート２１の両側に本体１０のチャンバー１１の両側に対応する、スライドユニット１３のスライドシート２２が配置されている。フィルタユニット２０は、本体１０のチャンバー１１に対して選択的に滑動することができる。さらに、シートプレート２１の上面には、本体１０の回転ロックボタン１５に対応する、少なくとも１つのロック穴２３が設けられ、本体１０が本体１０のチャンバー１１内に押し込まれるに供する。入水パイプ２６と出水パイプ２７が入水逆止弁１６と出水逆止弁１７に係合されるとき、回転ロックボタン１５でロック穴２３に嵌めてロックすることができ、フィルタユニット２０が本体１０のチャンバー１１内に位置決められ、フィルタユニット２０の任意離脱を避けることができる。
【００１８】
このようにして、容易に操作でき、交換やメンテナンスが容易な浄水器構造を形成することができる。
【００１９】
以上の構造設計により、実際の操作は図３及び図４図に示すように、通常使用状態では、フィルタユニット２０をシートプレート２１の両側のスライドシート２２により本体１０のチャンバー１１の両側のスライドユニット１３に滑動させ配置する。フィルタユニット２０をチャンバー１１内に完全に押し込み、フィルタユニット２０の入水パイプ２６と出水パイプ２７を本体１０の入水逆止弁１６と出水逆止弁１７に差し込む。フィルタユニット２０の水源に接続する、入水管路と貯水タンクに接続する、出水管路を連通させる。本体１０のトップカバー１４の回転ロックボタン１５をシートプレート２１のロック穴２３に嵌め込み、フィルタユニット２０を位置決めする。そして、図１に示すように、本体１０のドア１８を選択的に閉じて、美しさと質感の外観を維持することができ、これにより、典型的な浄水器の浄水機能を果たすことができる。水源は、入水パイプ２６を通ってフィルタユニット２０に入り、順序よく直列に排列された各フィルタチューブ２５でろ過された後、出水パイプ２７から貯水タンク３０に入り貯蔵され、毎日の飲用水に供する。
【００２０】
また、フィルタユニット２０のメンテナンスやフィルタチューブ２５内のフィルター材の交換が必要な場合には、本体１０のドア１８を開放した後に回転ロックボタン１５をフィルタユニット２０のシートプレート２１のロック穴２３から引くことができる。次いで、スライドシート２２およびスライドユニット１３の設計を用いてシートプレート２１を引き出し、同時に、フィルタユニット２０の入水パイプ２６及び出水パイプ２７から本体１０の入水逆止弁１６及び出水逆止弁１７を分離する。同時に、入水逆止弁１６及び出水逆止弁１７が逆止効果を生じ、水源が噴出するのを防止する。
そして、必要に応じて、フィルタユニット２０全体を本体１０から分離して取り外すことができるように、シートプレート２１およびスライドユニット１３をさらに分離することができる。
このように、ユーザは、フィルタユニット２０のメンテナンスを行うのが便利であり、また、フィルタチューブ２５内のフィルター材の交換にも都合がよく、従来の浄水器のように全体を動かす必要がなく、入水管路および出水管路の巻き付けまたは曲がりの問題もなく、その実用性を大きく向上させる。
【００２１】
本考案の浄水器構造は、前述の構造設計及び動作説明から分かるように、フィルタユニット２０のシートプレート２１、スライドシート２２及び本体１０内のスライドユニット１３の構造を利用することができる。さらに、フィルタユニット２０の入水パイプ２６と出水パイプ２７および本体１０の入水逆止弁１６及び出水逆止弁１７の選択的なプラグイン設計により、フィルタユニット２０を本体１０から分離することができる。ユーザは、フィルタユニット２０のメンテナンス及びフィルタチューブ２５内のフィルター材の交換が便利になり、本体１０、入水管路および出水管路の邪魔を低減し、操作の利便性をさらに向上させることができる。そして、その使用効寿命を延ばすことができ、その実用性を向上させることができる。
【００２２】
要するに、本考案は、非常に創造的な設計であり、施術者が直面する問題を効果的に解決することに加えて、その効果を著しく高めることができる新しいタイプの考案であることが理解され得る。同じ技術分野では、同一または類似の製品の作成や公衆利用がなく、同時に有効性が向上するため、本考案は「新規性」および「進歩性」の要件を満たしており、法律に従って出願されている。
【符号の説明】
【００２３】
１０  本体
１０１  フレーム
１０２  サイドカバー
１１  チャンバー
１１１  第１チャンバー
１１２  第２チャンバー
１２  仕切り
１３  スライドユニット
１４  トップカバー
１５  回転ロックボタン
１６  入水逆止弁
１７  出水逆止弁
１８  ドア
２０  フィルタユニット
２１  シートプレート
２２  スライドシート
２３  ロック穴
２５  フィルタチューブ
２６  入水パイプ
２７  出水パイプ
３０  貯水タンク
【図１】
0003217941.tif 000003
【図２】
0003217941.tif 000004
【図３】
0003217941.tif 000005
【図４】
0003217941.tif 000006